(57)【要約】ポータブルディスプレイデバイスとコントローラーとを含むシステムを利用して分散広告を成し遂げることができ、ディスプレイデバイスはその地理的場所を特定することができる。そのようなシステムは、その際、その場所をコントローラーに通信することができ、コントローラーは次に、ディスプレイデバイスに広告内容をダウンロードすることができる。徒歩、車両のいずれかでディスプレイデバイスを搬送する人々に、その成果に対する報酬を支払うことができる。【選択図】図１
2018500622.tif 000002
【特許請求の範囲】
【請求項１】
ポータブルディスプレイデバイスと、
コントローラーと、
を備え、
前記ディスプレイデバイスは前記コントローラーと通信し、
前記ディスプレイデバイスはポータブルであり、
前記ディスプレイデバイス又は関連するデバイスは、前記ディスプレイデバイスの場所を特定するために使用することができるＧＰＳ信号又は他の信号を受信し、解釈することができ、
前記ディスプレイデバイス又は関連するデバイスは、前記コントローラーからの指示で広告を表示するように構成される、分散広告のシステム。
【請求項２】
前記ディスプレイデバイスはタブレットコンピューターである、請求項１に記載のシステム。
【請求項３】
前記ディスプレイデバイスはスマートフォンである、請求項１に記載のシステム。
【請求項４】
前記ディスプレイデバイスはＷｉＦｉを介して前記コントローラーと通信する、請求項１に記載のシステム。
【請求項５】
前記ディスプレイデバイスは車両を用いて搬送される、請求項１に記載のシステム。
【請求項６】
前記ディスプレイデバイスは歩行者によって搬送される、請求項１に記載のシステム。
【請求項７】
前記ディスプレイデバイスは、コンパス、動作検知器、カメラ、ディスプレイデバイスの向きを特定するセンサー、及びその組み合わせからなるグループから選択された要素を更に備える、請求項１に記載のシステム。
【請求項８】
前記システムは、ジョイスティックを更に備える、請求項７に記載のシステム。
【請求項９】
前記システムは、バックパックを更に備える、請求項１に記載のシステム。
【請求項１０】
他のシステムコンポーネントを前記バックパックに固定するストラップを更に備える、請求項９に記載のシステム。
【請求項１１】
ポータブルディスプレイデバイスとコントローラーとの間の通信をワイヤレスで確立することを含む分散広告の方法であって、
前記ディスプレイデバイス又は関連するデバイスは該ディスプレイデバイス又は該関連するデバイスの場所を検知し、その情報を前記コントローラーにアップロードし、
前記コントローラーは、前記ディスプレイデバイスの前記場所に基づいて、前記ディスプレイデバイスに広告内容を送信する、方法。
【請求項１２】
広告主が、前記広告内容が表示される地理的エリアの大きさを選択することができる、請求項１１に記載の方法。
【請求項１３】
ポータブルディスプレイのトランスポーターが、有効な広告に対して報酬を与えられる、請求項１１に記載の方法。
【請求項１４】
前記ポータブルディスプレイデバイス上の設定は、環境条件に基づいて調整される、請求項１１に記載の方法。
【請求項１５】
前記ポータブルデバイスのトランスポーターが、手数料を支払われる、請求項１１に記載の方法。
【請求項１６】
前記手数料の金額は、小売店舗への前記トランスポーターの近接性、イベントへの前記トランスポーターの近接性、前記トランスポーターによって使用されるディスプレイのサイズ、エリア内のトランスポーターの数、及びその組み合わせからなるグループから選択された条件に基づいて決定される、請求項１５に記載の方法。
【請求項１７】
２人以上のトランスポーターを利用して、単一の広告を表示する、請求項１１に記載の方法。
【請求項１８】
前記ポータブルディスプレイデバイスは、消費者からの入力を受け付けることができる、請求項１１に記載の方法。
【発明の詳細な説明】
【技術分野】
【０００１】
本発明は、分散広告に有用なシステムに関する。本発明は特に、広告内容がモバイルディスプレイを用いて与えられるそのようなシステムに関する。
【背景技術】
【０００２】
現在、特に、ウェブサイトの数、及びインターネットへのアクセスを有するユーザーの数が、急速に、おそらく更には指数関数的に増大し続けているので、インターネットの使用、特にワールドワイドウェブ（これ以降、単に「ウェブ」と呼ばれる）の使用が爆発的に増大しつつある。そのような広告は、間違いなく有益であるが、欠点がないわけではない。
【０００３】
例えば、「クリック」広告は、有用であるが、広告と、サービスを必要とする消費者との間を結び付ける前に、多数の潜在的な消費者が複数の広告を見ることを必然的に要求する。別の言い方をすると、この種の広告は、関心のある購入者に受信してもらえるように、あらゆる方向に大量の広告を打つことを必要とする。
【０００４】
広告の技術分野において、比較的大量の、関心のある購入者／広告のインタラクションを生成しながら、限定された地理的エリア内に商品及びサービスを選択的に広告できるようにすることが望ましい。
【発明の概要】
【０００５】
１つの態様において、本発明は、ポータブルディスプレイデバイス及びコントローラーを備える分散広告のためのシステムであり、ディスプレイデバイスはコントローラーと通信し、ディスプレイデバイスはポータブルであり、ディスプレイデバイス又は関連するデバイスは、ＧＰＳ信号又はディスプレイデバイスの場所を特定するために使用することができる他の信号を受信し、解釈することができ、ディスプレイデバイス又は関連するデバイスは、コントローラーからの指示で広告を表示するように構成される。
【０００６】
別の態様において、本発明は、ポータブルディスプレイデバイスとコントローラーとの間で通信をワイヤレスで確立することを含む分散広告の方法であり、ディスプレイデバイス又は関連するデバイスは、その場所を検知し、その情報をコントローラーにアップロードし、コントローラーは、ディスプレイデバイスの場所に基づいて、ディスプレイデバイスに広告内容を送信する。
【０００７】
本開示の利点及び更なる態様は、添付の図面とともに検討されるときに、以下の詳細な説明を参照することによって、より深く理解されるようになるので、それらの利点及び更なる態様は当業者によって容易に認識されることになる。
【図面の簡単な説明】
【０００８】
【図１】仮想的な入札提示の図である。
【図２】空間広告のための複数のトランスポーターの使用の図である。
【図３】第２の仮想的な入札提示の図である。
【図４】車両内で使用中のディスプレイデバイスの第１の例の図である。
【図５】図４のディスプレイデバイスの側面図である。
【図６】身に着けられるように構成されるディスプレイデバイスと、それを身に着けるのに有用なケースとの組み合わせ（collage）を示す図である。
【図７】バックパックを使用してディスプレイデバイスを身に着ける図である。
【図８】車両内で使用中のディスプレイデバイスの第２の例を示す図である。
【図９】固定ディスプレイからオーディオ又はビデオを取り込む図である。
【発明を実施するための形態】
【０００９】
１つの実施形態において、本発明は、ポータブルディスプレイデバイス及びコントローラーを備える分散広告のシステムであり、ディスプレイデバイスはコントローラーと通信し、ディスプレイデバイスはポータブルであり、ディスプレイデバイス又は関連するデバイスは、ＧＰＳ信号又はディスプレイデバイスの場所を特定するために使用することができる他の信号を受信し、解釈することができ、ディスプレイデバイス又は関連するデバイスは、コントローラーからの指示で広告を表示するように構成される。
【００１０】
本発明において、「分散広告」という用語は、ポータブルディスプレイを用いて一般大衆が利用できる広告を意味し、なお、広告される材料は、ディスプレイデバイスの場所に基づいて選択される。
【００１１】
本出願のシステムにおいて、「ディスプレイデバイス」は、ｉＰａｄ（登録商標）又は他のタブレットコンピューター、他のタイプの他のコンピューター、及び任意のサイズのディスプレイを有する任意の他のデバイスとすることができる。別の実施形態において、ディスプレイデバイスは携帯電話とすることができる。更に別の実施形態において、ディスプレイデバイスは、コンピューター又はスマートフォンによって制御されるモニターとすることができる。車両の場合に特に有用である１つの実施形態において、ディスプレイデバイスは、車両のリアウインドウ上に広告内容を投影するプロジェクターである。別の類似の実施形態は、ディスプレイデバイスがヘッドレストの後ろからぶら下がるように構成されるタブレットコンピューターである実施形態であり、この実施形態は、タクシー又は乗客を乗せる他の車両において非常に有用である可能性がある。
【００１２】
本出願において、コントローラーという用語は、ウェブ上のサーバー、ウェブに接続される場合があるか、又は接続されない場合があるが、Ｗｉ−Ｆｉ、Ｂｌｕｅｔｏｏｔｈ（登録商標）等を用いてワイヤレスで通信する能力を備えるスタンドアローンコンピューターを意味する。
【００１３】
広告に使用されるディスプレイデバイスはポータブルである。これは、それらのデバイスを車両、又は歩行者のいずれかによって搬送できることを意味する。本出願において、車両という用語は、自動車と、トラックと、自転車と、オートバイと、セグウェイと、航空機及び軽航空機を除く任意の他の車両とを意味する。航空機に使用することを除外することに関して、この除外は、航空機内のディスプレイデバイスには当てはまらず、航空機の外側にあるディスプレイデバイスにのみ当てはまる。
【００１４】
本出願のシステムにおいて、ディスプレイデバイスはサーバーにワイヤレスで接続されるように構成することができる。これを果たすことができる方法は、限定はしないが、携帯電話、Ｗｉ−Ｆｉ、Ｂｌｕｅｔｏｏｔｈ等で使用されるような、モバイルデータシステムを含む。
【００１５】
ディスプレイデバイスがコントローラーにワイヤレスで接続される関連デバイスを必要とする場合、これら２つのデバイスの組み合わせは、これ以降、本出願において単一のデバイスとして扱われることになる。
【００１６】
ディスプレイデバイスは、ＧＰＳ受信機、又はリアルタイム広告において有用であるほど地理に関して十分な精度で、ディスプレイデバイスがその現在の場所を特定できるようにする他のコンポーネントを含むことができる。また、ＧＰＳ受信機又は他のコンポーネントによって、リアルタイム広告において有用であるほど十分迅速に場所の特定を行うことができるようにしなければならない。本出願において、「リアルタイム」という用語は、ダウンロードされた広告情報又はデータが広告主によって指定されたエリア内で表示されるようにディスプレイデバイスが依然として関連する近隣内に存在するほど十分迅速に通信が行われることを意味する。
【００１７】
本出願のシステム内で利用されるコントローラーは、広告情報又はデータをディスプレイデバイスにダウンロードするように構成される。
【００１８】
ディスプレイデバイス（場合によっては、関連するデバイスと組み合わせられる）は、コンパス、動作検知器、カメラ、ディスプレイデバイスの向きを特定するセンサー、及び広告を促進する任意の他のコンポーネントを更に備えることができる。そのようなコンポーネントは、広告情報又はデータを見る歩行者又は運転者の数の特定を容易にするコンポーネントを含む。
【００１９】
１つの実施形態において、ディスプレイデバイスは、他のディスプレイデバイスとともに動作するように構成することができる。例えば、１つの実施形態において、ディスプレイデバイスは実際には、単一のメッセージを表示するか、又は１つ若しくは２つのデバイスより短いメッセージを、３つ全てのデバイスにわたって動くように表示できるようにするために、ソフトウェアによってつぎ合わせられた３つのディスプレイデバイスとすることができる。
【００２０】
本出願の方法の実施において、ディスプレイデバイスはその場所をコントローラーに送信する。１つの実施形態において、コントローラーは、その際、地理的に近接しているベンダー又はサービスプロバイダーに関連するように選択された広告情報又はデータ（限定はしないが、写真、図画、図表等）をダウンロードすることができる。本出願において、「広告主」という用語は、広告目的で本出願のシステムを使用する申込者であるベンダー又はサービスプロバイダーを意味する。
【００２１】
広告主は、自らの広告が表示されることになる地理的エリアの大きさを選択することができる。その大きさは、広告主のタイプによって決まり、より厳密には広告主によって提供される商品又はサービス、及びこれらの迅速性、並びにディスプレイデバイスの速度によって決まる。
【００２２】
１つの実施形態において、ディスプレイデバイスは、バックパック又はハーネスに取り付けることができ、歩行者によって携行することができる。また、これは、自転車若しくはオートバイ又は他の囲まれていない車両上の人と協働する。１つの望ましい実施形態において、ショッピングモール内で携行されている間、バックパックの後ろにタブレットコンピューターが取り付けられる。
【００２３】
別の実施形態において、ディスプレイデバイスは、自動車、特に平坦なリアウインドウを有する自動車のバックウインドウに取り付けることができる。更に別の実施形態において、その用途において使用されるディスプレイデバイスは、携帯電話又はタブレットコンピューター等の関連するデバイスとともに使用されるモニターとすることができる。
【００２４】
更に別の実施形態において、ディスプレイデバイスは、所定の位置に確実に保持するために、かつ損傷を防ぐか、又は水、ほこり及び空中に舞い上がった残屑による汚損を防ぐためにケースに入れられたまま、車両の外側において表示することができる。
【００２５】
本出願の方法の実施において、ディスプレイデバイスは、その場所をコントローラーにアップロードする。１つの実施形態において、これは、ディスプレイデバイスの速度の正確な特定が、好ましくはサーバー上に記録されるほど十分頻繁に行われる。別の実施形態において、ディスプレイデバイス自体が、その速度を特定することになる。他のデータとともにこの知識を用いて、表示された広告内容を見ている歩行者及び運転者の数を特定することができる。
【００２６】
この特定を支援するために使用することができる１つのそのようなデバイスは、カメラである。別のそのようなデバイスは動作検知器である。デバイスではないが、ディスプレイデバイスが高速道路にわたって搬送されている場合、交通情報サービスを用いて、広告内容の視聴者の数を推定することもできる。
【００２７】
本出願の方法の１つの態様は、本出願のシステムを利用して、広告を達成するためにトランスポーターに報酬を与えることである。本出願において、トランスポーターは、徒歩又は車両のいずれかによって、ディスプレイデバイスを直接搬送するか、又は再委託者を通して搬送する搬送者である。本出願の方法の１つの実施形態において、トランスポーターは、広告内容の視聴者の数に基づいて報酬を支払われることになる。
【００２８】
トランスポーターに報酬を与えるのに用いることに加えて、本出願のシステムを用いて、広告主に報告を与えることができる。例えば、１つの実施形態において、広告主のために、指定されたエリア内で行われた広告の数、広告された内容の視聴者の数、及びそれらの視聴が行われた日時を開示する報告を生成することができる。
【００２９】
本出願の方法の１つの望ましい実施形態において、ディスプレイデバイスの速度、地理的場所、並びにディスプレイデバイスから最も近い視聴者及び最も遠い視聴者までの距離を用いて、ディスプレイデバイス上の広告内容と、その大きさとの両方を選択することができる。例えば、視聴者が遠くに離れている場合、又はディスプレイデバイスと視聴者との間の速度差が大きい場合には、必然的に、広告内容を相対的に大きくする必要がある。例示的な状況は、オートバイ運転者又は自転車運転者が他の車両交通によってすぐに追い越されている場合である。
【００３０】
対照的に、本出願の方法の別の望ましい実施形態は、ディスプレイデバイスとしてタブレットコンピューターを有するバックパックを背負っている歩行者がショッピングモール内を歩行している状況である。速度差は、視聴者の速度とトランスポーターの速度との間の差である。この状況において、相対的に小さな速度差の場合、観測者はより長い時間をかけて広告内容を熟読することになるので、広告内容のサイズを相対的に小さくすることができる。
【００３１】
幾つかの実施形態において、コントローラーを利用して、ディスプレイデバイスの設定に変更を加えることができる。例えば、ディスプレイデバイスが利用されている場合に、コントローラーは、周囲光条件に対して有効であるように、ディスプレイデバイスの明るさを調整することができる。更に別の実施形態において、ディスプレイデバイス内のマイクロフォンを利用して、周囲雑音のレベルを判断し、その後、オーディオ成分を有する広告のためにディスプレイデバイスのスピーカー音量を調整することができる。
【００３２】
代替の実施形態において、コントローラーは、ｉＢｅａｃｏｎに幾分類似している、ショッピングモール内の特定の店舗内に配置されるデバイスとすることができ、店舗内のデバイスは、広告内容が表示されるべき近隣において、ディスプレイデバイスに、その広告内容を送信する。例えば、ショッピングモール内のベンダーが本出願のシステムに接続し、自分の店頭の５０フィート内で表示されるべき広告を指定することができる。
【００３３】
本出願のシステムで使用されるディスプレイデバイスは、コンパスと、圏外の期間中に使用できるようにする他のコンポーネントとを含むことが望ましい。例えば、トランスポーターが地下鉄に乗ることになっていた場合には、広告の成果及び広告の持続時間が記録され、交信が再確立された時点でコントローラーにアップロードにより返送される。少なくとも１つの実施形態において、これらの目的を果たすために、第２のコントローラーを使用することができる。
【００３４】
本出願の方法で利用されるディスプレイデバイスは、トランスポーターの広告成果を検証し、定量化できるようにするコンポーネントを含む。例えば、カメラ、及びディスプレイデバイスの向きを検出するセンサーを利用して、デバイスが実際に視聴者に表示されていることを検証することができる。トランスポーターが、ディスプレイデバイスを地面に対して水平に待機させている場合には、その成果に対する報酬は支払われないことになる。同様に、ディスプレイデバイス内のカメラがアクセスされ、いかなる視聴者も示さない場合には、少なくとも幾つかの実施形態において、トランスポーターは報酬を支払われないことになる。
【００３５】
トランスポーターが、自分のディスプレイデバイス上に表示していても構わない広告のタイプを限定することを望む状況では、広告はタイプによってグループ化することができる。例えば、広告は、「環境保護」広告、成人向け広告、非菜食主義者広告等によってグループ化することができる。広告主又は広告のタイプのメニューが生成されると、トランスポーターは、そのメニューから広告又は広告主を選択又は除外することを許される。
【００３６】
本出願の別の実施形態において、インターネットを用いて、トランスポーターを勧誘することができる。トランスポーター、より厳密には、トランスポーターの志望者がトランスポーターになると決心すると、トランスポーターの志望者は、「ＡＰ」をアップロードし、自らのディスプレイデバイスを本出願のシステムの一部にすることができる。「ＡＰ」は、Ｐｌａｙ  Ｓｔｏｒｅ及びＡｐｐ  Ｓｔｏｒｅ等の現存の配信センターを用いて配信することができる。代替の実施形態では、専用ウェブサイトを用いて、トランスポーターの志望者にソフトウェアを配信することができる。
【００３７】
本出願の分散広告システムは、トランスポーターがその成果に対して報酬を支払われるようにして利用することができる。本出願のシステムの１つの利点は、特定のベンダー又は他の場所に近接していることに基づいてトランスポーターを選択できることである。１つの実施形態において、本出願のシステムは、広告主が歩合制でトランスポーターに報酬を支払うことを提示するビジネスプランを用いて利用される。例えば、１つのそのような実施形態において、広告主は、その事業所の１ｋｍ以内のトランスポーターに＄５の歩合を提示し、５ｋｍ以内であるが、１ｋｍの外側にいるトランスポーターに＄３を提示し、事業所から５ｋｍより離れたトランスポーターに対して＄１の標準歩合を提示することに決めることができる。
【００３８】
代替の実施形態では、小売店舗に近接していることに基づく広告歩合ではなく、歩合はイベントに近接していることに関連している場合がある。例えば、フェスティバル／イベントに参加する全てのトランスポーターが或る特定の広告主によって特に役に立つと見なされる場合があり、フェスティバルの期間中のその全体的な場所に対して代替の歩合が提示される場合がある。それでもなお、従来の広告と同様に、歩合は、ディスプレイデバイスのサイズ、タイプ及び場所に基づくことができる。
【００３９】
広告主が直面する場合がある１つの問題は、所与のエリア内にあまりにも多くのトランスポーターが存在する場合があるという可能性である。広告主が全てのトランスポーターで広告することになる場合には、トランスポーターは実際には、広告エリアを過飽和状態にする場合がある。場合によっては、これは、消費者に悪影響を及ぼすことが知られている。この問題に対する幾つかの解決策がある。
【００４０】
１つの解決策は、一定の数のトランスポーターが、先着順に広告を表示できるようにすることである。その解決策の代替の実施形態では、広告主は、広告を入札にかけることができる。この実施形態では、広告主は、仕事がトランスポーターによって落札されるように、入札によって段階的に歩合を上げていき、全ての応募可能なポジションが落札されるまで仕事を提示することで、トランスポーターが「仕事」を手に入れることができるようにする。
【００４１】
所与の地理的エリア内でディスプレイデバイスが超過である状況、又はディスプレイデバイスが従来の広告によって部分的にしか利用されていない状況において、本出願のシステムを利用して、ディスプレイデバイス所有者が、隙間を埋め、自らの資産を完全に利用できるようにすることができる。
【００４２】
所与の地理的エリア内でディスプレイデバイスが超過である状況、又はディスプレイデバイスが従来の広告によって部分的にしか利用されていない状況において、本出願のシステムを利用して、ディスプレイデバイス所有者が、隙間を埋め、自らの資産を完全に利用できるようにすることができる。
【００４３】
更に別の実施形態において、広告主は、「エリート」トランスポーターのグループから選択できる場合がある。トランスポーターの地位は、全体的な利用可能性、どのくらいの数の人々（歩行者及び／又は運転者）がその広告内容を見るかに基づく有効性に基づいて判断することができ、その判断は、カメラ又は他の近接検知デバイスを用いて行われる。
【００４４】
本出願の方法の１つの極めて独自の実施形態では、広告の一部が各トランスポーターに送られるように、広告内容を複数のトランスポーターに分配することができる。これは、昔のＢｕｒｍａ−Ｓｈａｖｅの看板に幾分類似している。２０世紀半ばに、シェービングクリームの製造業者が、高速道路に沿って一定の間隔で一連の看板を置いた。メッセージの全内容を得るために、運転者は、各看板を次々に見る必要がある。本出願のこの方法の１つの実施形態では、１０語の広告を１０人の個々のトランスポーターのデバイスに表示することができる。更に別の代替の実施形態において、同じ１０人のトランスポーターが、単一の１０文字広告を完全に綴ることができる。これは、メッセージを強調するように単語及び／又は文字を空間的に配置できるように、スタジアムの座席が入手可能であるイベントにおいて特に有効である。
【００４５】
ディスプレイデバイスが入力に応じることができる、本出願の方法の実施形態では、その際、ディスプレイデバイスを見ている人々が入力できるようにする広告を表示することができる。１つのそのような広告は意識調査である。そのような広告の例示は、政党、市販製品等に関する観察者の好みの意識調査である。実際には、広告はディスプレイデバイス上に表示され、入力は、入力デバイスを用いて促されることになる。ディスプレイデバイスがタブレットコンピューターである場合、広告を見ている人は、ラジオボタン、又はタッチスクリーン上の他の入力に触れることができる。
【００４６】
更に特殊化したディスプレイデバイスを使用することができ、特殊化したディスプレイデバイスは、ゲームコントローラー、又はキーパッド、又はジョイスティック等の１つ又は複数の入力デバイスとのインターフェースを有するように構成される。これは、より長期の意識調査が伴う場合に特有に有用であろう。そのようなデバイスを利用することができる例示的な方法は、トランスポーターが、見ている人々に対して意識調査に参加するように勧誘を表示する方法であり、観察者が関心を示すと、観察者は入力デバイスを与えられ、入力デバイスを用いて、ディスプレイデバイス上の意識調査に直接自分のデータを入力する。
【００４７】
意識調査に加えて、広告を見ている人々がクーポン又は他のインセンティブを受けるために連絡先情報を提供する場合に、類似の方法を利用することができる。これらは、食品、商品及び／又はサービスに関する割引のために小売業者に提示することができるクーポンコードの形をとることができる。代替の実施形態において、これは、トランスポーターによって持ち運ばれるか、又は自動頒布機（automatic dispenser）の使用によって入手可能になる実際のクーポンの形をとることができる。更に別の実施形態において、クーポンは、デジタルクーポン又は印刷可能クーポンにアクセスすることを促進するために、観察者のためのリンクをディスプレイデバイス上に表示することによって入手可能にすることができる。当然、ディスプレイクーポンは、電子小売業者を含む、対象小売業者においてクーポンを商品又はサービスと引き換えるために使用される写真として、観察者がいつでも撮影することができる。別の例として、ＱＲコード（登録商標）を含むクーポンを表示することができる。
【００４８】
本出願の方法の別の実施形態は、無料（pro bono）広告である。例えば、トランスポーターが広告主によって積極的に報酬が支払われない期間中に自分の興味を引いた問題又は製品を売り込むことができる場合、トランスポーターになるように奨励することができる。
【００４９】
本出願の方法の更に別の方法において、トランスポーターがそのプログラムに参加することを条件として低額又は無料で機器を提供することによって、トランスポーターになるように奨励することができる。例えば、１つのそのような実施形態において、トランスポーターがそのプログラムに参加すること、及びトランスポーターの報酬の一定の割合がディスプレイデバイスの提供者に戻されることを前提条件として事前の費用なしでトランスポーターにディスプレイデバイスを提供することができる。代替の実施形態において、ディスプレイデバイスは、トランスポーターの志望者に貸し出す（場合によって、購入するオプションを付ける）ことができる。
【００５０】
１つの特に望ましい実施形態において、本出願のシステム及び方法を使用する広告主は、ベンダーの顧客サービス部門とすることができる。例えば、ベンダーの製品の顧客が顧客サービスを必要とした場合に、そして、その顧客がタブレットコンピューター等をすぐに利用できなかった場合に、そして、そのベンダーが本出願の方法において広告主としての参加者であった場合には、ベンダーは消費者付近にいるトランスポーターの位置を特定し、トランスポーターの行先を顧客に変更し、ディスプレイデバイスを利用して、顧客サービスを提供できる可能性がある。例えば、自動車製造業者が広告主であり、その製造業者の車の所有者のうちの１人が自動車に関する問題を抱えていた場合には、自動車製造業者は、トランスポーターの行先を変更して運転者を支援することができる。
【００５１】
ディスプレイデバイスの大部分がサードパーティーソフトウェアを実行できる可能性が高いことに起因して、これは容易になる。ＦＡＣＥＴＩＭＥ（Apple Inc.の販売名）を実行することができるデバイスを有するトランスポーターを、顧客サービスを提供するために利用されるＦＡＣＥＴＩＭＥプログラムにおいて、広告主でもあったベンダーが顧客に向かわせることができる。
【００５２】
本出願において、「広告」及び「広告情報」という用語は、トランスポーターによって収集された情報又はインテリジェンスも意味するように拡張される。本出願の方法は、広告主が、ニュース報道機能を有するテレビ局等の機関とすることができる実施形態を有する。進行中の事態がある場合には、テレビ局広告主は、トランスポーターの行先を「進行中のストーリー」に変更し、ディスプレイデバイス、特にカメラ及びマイクロフォンを利用してインテリジェンスを得ることができる。代替形態において、トランスポーター、特にエリートトランスポーターに、朝の交通又は天気の推移等のイベントを管理する仕事を課すことができる。更に別の実施形態において、企業又は個人が、不動産、イベント等の写真又は映像を撮影するために、対象のエリア内のトランスポーターに報酬を支払う場合がある。
【００５３】
「広告主」という用語は、本出願において、トランスポーターを利用してサービスを提供するサービスプロバイダーを含むように更に拡張される。そのような広告主の例示は、通訳を提供する企業であろう。１つの実施形態は、その言語を話さない外国にいる旅行者が困難な状況にある場合に、ディスプレイデバイスを介して翻訳サービスが提供される状況によって例示することができる。本出願のシステムで有用なディスプレイデバイスは、表示画面を有するので、視覚形式においてのみ提供できるサービスを、ディスプレイデバイスを用いて依然として提供することができる。この実施形態の例示は、手話のみで会話する人とのコミュニケーションを、手話通訳者を利用することができる近くのトランスポーターを利用することによって改善できる状況である。明らかなように、この実施形態では、翻訳者がディスプレイデバイス上のマイクロフォンを利用して、言われていたことを聞き、ディスプレイデバイス上のカメラを利用して、どの手話が通訳を必要としたかを確認することで、表示画面上に手話が表示されることになる。
【００５４】
本出願のシステムは、トランスポーターを評価するのを容易にするコンポーネントを含むことができることが望ましい。既に論じられたように、考えられる大部分のディスプレイデバイスは、カメラ、スピーカー、マイクロフォン及びＧＰＳ受信機を有する。また、幾つかの実施形態において、ディスプレイデバイスがＢｌｕｅｔｏｏｔｈ送受信機、Ｗｉ−Ｆｉ送受信機及び空間センサーを含むことは有用である。この機器の全てを利用して、トランスポーターが広告主に対する義務に応えていることを確実にすることができる。例えば、ディスプレイデバイスがスマートフォンである場合、それを利用して、トランスポーターによって行われた実際のステップをカウントすることができる。これは、不正行為を防ぐとともに、「エリート」トランスポーターを認識できるようにする。
【００５５】
本出願のシステムは、建設的な社会のために利用することができる。この例示は、博物館、慈善団体等のために無料広告がうたれる状況であろう。同様に、本出願のシステムは、竜巻警報、アンバーアラート、退避告知等の、重要な告知のために民間機関にアクセス可能にすることができる。
【００５６】
図面を参照すると、図１は、仮想的な入札提示である。その中では、入札提示が、選択された地理的エリア内にいるトランスポーターのための５つの別々の歩合を示す。トランスポーターは、示された歩合において報酬が支払われることになる。例えば、選択されたエリアのどの部分にトランスポーターがいたかに応じて、＄７．５０の高い報酬から無報酬の低い報酬までトランスポーターに支払うことができる。歩行者及び車両内にいるトランスポーターに対して異なる歩合が提示されることにも留意されたい。
【００５７】
図２は、空間的な広告のために複数のトランスポーターを使用する例示である。この例示では、８人のトランスポーターがそれぞれ、「ＧＷＥＥ  ＮＯＷ！」広告の１文字を表示する。そのような広告は、スポーツスタジアム、体育館等のスタジアムの座席を有する環境において特に有用である。
【００５８】
図３は、複数の広告主からの仮想的な入札提示である。本出願の方法の１つの実施形態において、所与の地理的エリア内に、より多くの広告主又は少なくとも広告需要がある場合があり、その際、そのようなサービスを提供する複数のトランスポーターが存在することが生じる可能性がある。そのような場合には、広告主は、トランスポーターのサービスに入札することが起こり得る場合がある。図において、左側には、対象として選択されたエリアを伴う地図が示される。右側には、広告を表示するトランスポーターを探している広告主のリストがある。この事例では、トランスポーターに対して＄５．５９の低額から＄１０．７６の高額までの５つの広告主の提示がある。幾つかの実施形態において、トランスポーターはサーバーを有することができ、自分のディスプレイデバイスが最も高いつけ値を自動的に選択する。他の実施形態において、トランスポーターは、広告の主題に関する自らの関心に基づいて、報酬がより低い広告主を選択することに決める場合がある。
【００５９】
最後に、本出願のポータブル広告システムで有用なタブレット、ｉＰａｄ及びｉＰｈｏｎｅ（登録商標）等のポータブルディスプレイデバイスを用いて、製品、サービス又は非営利活動の販売及び提供のための電子支払を行うことができる。例えば、ポータブル広告システムに直接、又はワイヤレスで接続されるＡｐｐｌｅ  Ｐａｙ（商標）、モバイルデバイススワイプカードリーダー、又は他の電子デバイスを用いて、販売を処理することができる。ポータブルディスプレイ広告システムは、購入者がクレジットカード情報及び配達情報を入力できるようにする手動入力デバイスを組み込むことができる。別の実施形態において、クレジットカード情報又は配達情報は、携帯電話又は他のポータブルデバイス上で実行されるアプリケーションを用いて入力することができる。
【００６０】
当業者に既知であるリモート又は自動販売を行うのに有用な任意の方法及び／又はデバイスを、本出願のポータブルディスプレイ広告システムとともに利用することができる。そのような実施形態において、ポータブルディスプレイ広告システム自体、又はトランスポーターが手動で、Ａｍａｚｏｎ（商標）等の商品及び／又はサービスを扱っているエンティティに、取引を完了するために必要な情報を電子メールで送信するか、又はテキストで入力することができる。代替形態において、ポータブルディスプレイ広告システムは、販売者の特定の商品情報、又は更には販売者の一般的なウェブサイトを購入者に通知することができ、その際、購入者に、自分の裁量で購入を完了する機会を与えることができる。更に別の実施形態において、この情報は、将来の参照及び／又は配布のためにシステムによって保持される場合がある。そのような実施形態によれば、本出願の任意のポータブルディスプレイ広告システムが、世界中の任意の販売者と接続し、ほとんどの場所においていつでも製品を広告し、直ちに販売を行うことができるようになる。
【００６１】
この概念を更に進めると、広告は、特定の「顧客」に向かって、更に個人向けに行うことができる。例えば、顧客が或る特定の場所を頻繁に訪れる場合には、その場所に関するカスタマイズされた広告を表示することができる。衣料品店の場合、その特定の店舗に、又は更には競合他社に関連する広告を表示することができる。タクシー若しくはリムジン、又は更にはバスによって運ばれている顧客に、その顧客の行先に関連する広告を表示することができる。例えば、その行先が空港である場合、空港サービス及び娯楽施設を広告することができる。
【００６２】
更に別のステップを更に進めると、任意の特定のクライアントに関して集められた情報を、将来使用するために保持することができる。この例示は、クライアントが特定のカジノにおいてギャンブルをするか、又は或る特定の高級品若しくは値の張る商品を購入する状況である。その状況は、特定の顧客がこれまでに購入してきた商品を購入するときに、一般の人々によって多くの場合に購入されるのとは全く異なる商品に関する広告を生成するための根拠にすることができる。
【００６３】
１つの好ましい実施形態において、ポータブルディスプレイデバイスは、Ｕｂｅｒを通して契約するような個人タクシー内で使用されるタブレット又は他のディスプレイである。取り込まれる場合がある情報は、限定はしないが、旅行者によって選択されたルート及び旅行者が支払う料金、運転者に関する名前及び他の個人情報又はカスタマイズされた情報等を含む。
【００６４】
この情報は、旅行者が携行している場合があるデバイスに関連付けられるＷｉ−Ｆｉ、Ｂｌｕｅｔｏｏｔｈ又は他の接続を利用して収集することができる。この例示は、クラウド通信及び近接型カード技術を含むことができる、近距離通信（ＮＦＣ）に関連付けられる技術である。
【００６５】
そのような実施形態の一例が、乗客／旅行者がツアーガイド、レストラン及び他の現地のアトラクションに関連する広告を示される例である。
【００６６】
そのような実施形態の別の例は、カメラ、一般的にディスプレイデバイスに組み込まれるカメラを利用して、旅行者にセキュリティを提供することである。別の例は、旅行者がディスプレイデバイスとインタラクトし、目的地若しくは選択されたルートを変更するか、又は更には単にネットサーフィンすることができる場合である。ディスプレイデバイスを用いて、これからの旅行のための迎えの時間を要望することさえできる。
【００６７】
別の実施形態において、ディスプレイデバイスを利用して、旅行者が広告主になることができるようにすることができる。類似の実施形態において、運転者が広告主になることができる。いずれの場合も、広告主は商品を広告することができ、また、車両を利用して、商品を顧客に配達することさえできる。また、広告主は、デバイスを用いて、支払いに応じることもできる。
【００６８】
特にディスプレイデバイスがホットスポットとしての役割を果たしている状況において、旅行者は、特殊な「アプリ」をダウンロードすることができ、そのアプリが、その後、運転者のディスプレイデバイスとインタラクトすることになる。
【００６９】
情報が収集されると、その後、情報を利用して、パーソナル電子デバイス、家庭用テレビ、デスクトップコンピューター、道路沿いの又は空港等の建物内のデジタルボード及び看板等の固定ディスプレイデバイス上に表示されることになる特定の顧客のための対象コマーシャルを作製することができる。固定看板及び移動看板は、携帯電話、タブレット、その他のもののいずれにしても、デバイスの相互接続能力に基づいて顧客を認識することができ、その後、対象とされる広告のために以前に収集された情報を利用することができる。
【００７０】
運転者がディスプレイデバイスを使用しているとき、当業者に有用であることがわかっている任意の方法においてディスプレイデバイスを利用して、ディスプレイデバイスが旅行者／乗客から見ることができるようにディスプレイデバイスを搭載することができる。図４を参照すると、車のセンターコンソール４０２に取り付けるように構成されるディスプレイデバイス４０１が示される。図５は、その同じデバイス設置の側面図である。この実施形態において、ホルダーの曲げることができる脚部４０３は、デバイスを所定の位置に保持するのに十分な引張力を有する。他の構成は、粘着ストラップ（それ自体が粘着性接着剤を利用する）、又はＶｅｌｃｒｏの使用で利用されるようなホック留めによる接続を利用することができる。
【００７１】
完全を期すために、１つの実施形態において、本発明は、広告主がウェアラブルディスプレイデバイスを利用することを含む、広告する方法である。図６において、広告主の前方又は後方に取り付けられるようにディスプレイデバイスを身に着けることができる幾つかの異なる実施形態が示される。ここで示されるように、ディスプレイデバイスは、ストラップ６０１を用いて、所定の位置に保持される。
【００７２】
代替の実施形態において、図７は、ディスプレイデバイス４０１を収容するように構成されるバックパック７０１を示す。限定はしないが、ホック留め（Ｖｅｌｃｒｏ（商標））、粘着性接着剤等を含む、当業者に既知の、それを行う任意の方法を用いて、バックパックに固定することができる。１つの実施形態において、ディスプレイデバイスは、ストラップがバックパックショルダーストラップの周りで環状にされるようにして、ストラップ上のホック留めコネクターを利用して背面に固定される。
【００７３】
その後、広告主は、バックパックを用いて、ディスプレイデバイスを持ち歩くことになる。広告主が販売されることになる商品も持ち歩いている場合、商品自体が小さい場合には、広告主／商店主は、商品を広告し、購入者を見つけ、支払いを受け、その後、商品を配達することにより、販売を完了することができる。これは全て本出願のシステム及び方法を用いて実行することができる。
【００７４】
本出願の方法及びシステムは、ポータブルデバイス上で使用するためにダウンロードすることができるソフトウェアを含むことができる。このソフトウェアを用いて、更なる機能に関して広告デバイスとインタラクトすることができる。この例示は、レストランのための広告又はＯＰＥＮ  ＴＡＢＬＥ（商標）等のサービスによる広告が表示されており、ユーザーが予約を入れるためにディスプレイデバイスとインタラクトすることができる事例である。また、ソフトウェアを用いて、ダウンローダーからデータを収集することができ、その後、ディスプレイデバイスによって、広告を調整するか、又は他のコンテンツの配信を調整するために利用することができる。
【００７５】
そのような実施形態は、モバイルディスプレイデバイスを利用するアプリケーションで特に有用であろう。ディスプレイデバイスが、レンタルの乗物内にあった場合、そのソフトウェアは、品質に関するコメントを残すことができるようにするか、場合によっては、帰路のために別の乗物を予約できるようにする。表示されている広告が、広告を見ている人がその後、販売又は他の提示を利用できるようになる近所の店舗のための広告である場合に相乗作用が生じる。
【００７６】
ポータブルデバイスの別の利点は、幾つかの実施形態において、セキュリティ又は監視を提供するために使用できることである。例えば、乗物においてディスプレイデバイスが利用される場合には、ディスプレイデバイスを利用して、乗物において犯罪が行われた場合に有用な可能性がある乗客の写真又はビデオを撮影することができる。
【００７７】
ユーザーが対象ソフトウェアをダウンロードしていなかった場合であっても、例えば、Ｆａｃｅｔｉｍｅ（商標）のような他のプログラムを、使用説明、購入に伴う支援、航空機による旅行、翻訳、国民と交流する政治家、弁護に従事する民間人、又は生身の人からのほとんど任意のタイプの支援等の高度な心遣い（concierge care）のために使用することができる。
【００７８】
図８を参照すると、車両内のポータブルディスプレイを使用するためのデバイスが示される。この実施形態は、乗客が取り外して、視聴するために乗客のひざに置くことができるｉ−Ｐａｄタブレットデバイス８０２を収容するように構成されるスタンド８０１を示す。スタンドは、加速及び衝突に対応するように、ディスプレイデバイスを固定する。任意選択で、窃盗を防ぐか、又は少なくとも減らすために、ディスプレイデバイスをスタンドにつなぎ留めることができる。このデバイスは、自動車の電気系統又は他の電力源に接続するように構成される充電ポート（図示せず）を追加することによって、更に向上させることができる。別の向上は、ディスプレイデバイスに接続するように構成されるスピーカーを含むものとすることができる。
【００７９】
スタンド自体は取外し可能なセンターコンソールスタンドであり、例えば、ストラップ、Ｖｅｌｃｒｏ（商標）又は他のホック留め具、粘着材料又は磁石によって、センターコンソールの上部に固定され、後部座席の乗客に電子デバイスを表示するように構成されるビーンバックタイプ又はクッションタイプの要素を利用することができる。スタンドは、自動車の加速から電子デバイスを守るが、乗客が個人で使用するためにスタンドから電子ディスプレイデバイスを容易に取り外すことができるようにする。１つの実施形態において、ストラップは、センターコンソールの蓋に巻き付けて、ディスプレイデバイスを更に固定することができる。
【００８０】
本出願の別の実施形態において、電子ディスプレイを、隣接するディスプレイ又は小売店にあるハードウェアとリンクさせて、近接性に基づいて適切なデータ又は広告を送信することができる。代替形態では、ディスプレイデバイスは緯度及び経度情報を利用して、デジタル又は非デジタルいずれかの形をとる広告のリアルタイム在庫商品リストを有する中央コンピューターと同期し、その情報又は関連する情報を、例えば、車内にあるか又は歩行者が所持する同じ又は異なる電子ディスプレイデバイスに送信することができる。
【００８１】
そのような実施形態の例示において、レンタル自動車が、デジタル又は非デジタルいずれかである広告板を通り過ぎて走行している。広告板は、広告板を通り過ぎる前、又はその最中、又はその後のいずれかに、電子ディスプレイデバイス上に現れる。同じことは、電子ディスプレイがベンダーに近接しているときに、電子ディスプレイデバイス上に現れるＳｔａｒｂｕｃｋｓ（商標）等の小売店の場合にも当てはまり得る。代替の実施形態において、本出願のシステムのディスプレイの内容を、デジタル広告板上に表示することができる。
【００８２】
別の実施形態において、Ｕｂｅｒ（登録商標）等のレンタル自動車内の電子ディスプレイを、旅行目的地支援のために顧客が使用することができる。顧客はＷａｚｅ等のプログラムを用いて、最短及び最速のルートを見つけ、運転者が効率的であることを確実にすることができる。さらに、電子ディスプレイは、ＵＢＥＲ等のレンタルプログラムの運転者とインタラクトして、旅行選択肢を提供し、広告を組み合わせることができる。最後に、上述されたように、本出願のシステムを利用して、中央ロケーションにセキュリティ画像を提供することによって付加機能を追加し、それにより、運転者に対する犯罪を思いとどまらせることができる。
【００８３】
更に別の実施形態において、本出願の電子ディスプレイの視聴者は、画像、及び電子ディスプレイとのインタラクションを送信するために、自分の個人デバイスを電子ディスプレイにワイヤレスで接続することができる。一例がＡｐｐｌｅ  Ａｉｒｐｌａｙであり、ｉ−ｐｈｏｎｅを用いて、ビデオ又は写真をＡｐｐｌｅ  ＡｉｒＰｌａｙでＴＶに送信することができる。さらに、電子ディスプレイデバイスは、その後、タッチスクリーンを介して、視聴者のデバイスとインタラクトすることができる。
【００８４】
本出願のシステム及びデバイスは、主に広告の形をとる情報の配信に向けられているが、本出願のシステム及びデバイスを用いて、他のコンテンツを配信することができる。そのようなコンテンツは、限定はしないが、書籍又は他の文書、ストリーミングビデオ等のエンタテイメント等を含む。
【００８５】
幾つかの実施形態において、本発明は、ワイヤレス伝送及び／又は有線伝送、位置追跡システム、モバイル及び固定ディスプレイに基づく分散ネットワークである。これらの実施形態において、販売時点情報管理データベース及び／又は顧客データベースが、ユーザーの暗号化されたＩＤ、ＧＰＳ、関心及び最新の場所の動きに基づいて、対象コンテンツ、広告、登録、ＲＳＶＰ及び予約にリアルタイムに統合される。このようにして、広告、コンテンツ及び物理的な場所が、現在のリアルタイム環境において、ユーザーに適合する。
【００８６】
本明細書において使用される、コンピューター実施サービスが、ユーザーの場所に応じて、ユーザーを潜在的なコンテンツ及び／又はサービスに適合させる。このシステムは、ショッピングの好み、頻繁に訪れる場所又は特定のコンテンツ等の、ユーザーによって以前に選択された関心に基づいて、ユーザーからこれを判断する。好みは、例えば、ユーザーが種々の方法において識別される別のデータベースと関連がある暗号化されたデータベース内に表示される製品とすることできる。
【００８７】
システムは、任意のワイヤレス送信ポイントを利用して、又は暗号化された個人識別番号を通して、ユーザーを識別することができる。１つの実施形態において、サービスは、項目を「類似の」項目の個々のリストにマッピングするあらかじめ生成されたテーブルを用いて、推奨されるコンテンツ、場所及びコンテンツを生成する（すなわち、或る人がアメリカンレストランにおいて食事をしており、類似の食べ物を好む場合がある）。
【００８８】
別の例において、ユーザーが、旅行をしている間にフットボールに関連するコンテンツを望む場合、システムは、フットボールにバイアスをかけて特定のスポーツイベントを推奨する。提案を生成するために、特に、バイアス、すなわち、特定の地域、場所、コンテンツ等に関してユーザーが親近感を示す履歴データを定期的に処理して、ユーザーの関心との相関を特定する。
【００８９】
ユーザー履歴にアクセスし、ユーザーによって以前に選択された項目に類似の項目を特定することによって、コンテンツ、広告及び場所データが生成される。１つの実施形態において、項目は、予約時間にわたる、レストラン、温泉地、ゴルフコース等のユーザーの具体的な現在の場所に基づいて、推奨される。
【００９０】
別の実施形態において、本発明は、１つ又は複数のクライアントデバイス及び／又は供給機器との間でデータを受信及び／又は送信するように構成されるワイヤレスデータネットワーク事業者である。このネットワークは、データ要求のうちの１つを、自らに、又は１つ又は複数のクライアントデバイスに分配するために１つ又は複数のクライアントデバイスによるデータ要求をワイヤレスネットワーク事業者に与える他のサービスに通信するように更に構成することができる。ワイヤレスネットワークは、データを得るために、そのプラットフォーム上の他の統合データベースに類似の、同様の、同じ、そして全く同じであるデータベースを参照することができる。その後、ワイヤレスネットワークは、推奨のためにデータをエンドユーザーに返送するのに最良の方法を判断することができる。送信ポイントは、セルラーポイント、ＧＰＳ、衛星、有線伝送、固定ディスプレイ、及び全ての他のモバイルデバイスを含むことができる。
【００９１】
本発明の別の実施形態は、多くの場合に「接続ショッピングモール（connected mall）」と呼ばれる複合施設又は構造物のような、複数の小売販売店を有する構造物又は複合施設内で利用される。ポータブルデバイスは、ショッピングモールの至る所で固定ディスプレイとインタラクトする「ビーコン技術」を用いて、消費者へのカスタム推奨を行う。接続ショッピングモールは、接続性のために当業者に既知であるＷｉＦｉ又はＢｌｕｅｔｏｏｔｈビーコン技術又は任意の他の接続性システム及びプロトコルを利用する。
【００９２】
システムは、アプリケーションによってプリセットされたユーザーの好みに基づいてショッピング推奨を行うことになる。個々の小売店は、接続されるネットワークに登録し、ユーザーが設定した通知に基づいて、個人向けの推奨を送信することができる。１つの実施形態において、個々の小売業者は、対象ユーザーが接続ショッピングモールの中を動き回るにつれて、接続ショッピングモールのあらゆる場所において対象ユーザーへの近接点を選択し、上記で参照されたショッピング推奨又は他の広告を表示する。
【００９３】
更に別の実施形態において、ＵＳＢデバイス又はカスタムマイクロチップを利用して、任意のポータブルディスプレイデバイスとの接続性を確立し、それを更にインタラクティブにすることができる。ユーザーは、コンテンツ、ショッピング及びエンタテイメントの推奨を行うために、システムにユーザーの活動を監視させることを選ぶことができる。幾つかの実施形態において、推奨は、消費者に対して完全にカスタマイズされる。
【００９４】
「小売業者」という用語を用いて、本出願の方法及びシステムを利用する場合がある対象者を説明してきたが、本出願のシステム及び方法は、任意の種類の商店主、及び政治若しくは政策又は任意の他の種類の非営利的な陳述に関連する情報を伝えようとしている人々によって利用される場合がある。例えば、商店主が衣料品を販売することに加えて、本出願のシステム及び方法は、食品販売者（ピザ屋等）、政治家候補者、更には世論調査員によって利用される場合がある。１つの実施形態において、本出願のシステムのユーザーは、図９において例示されるような広告を購入することもできる。
【００９５】
本発明の１つの実施形態は、本出願のシステムを用いて、食品を配達するベンダーとやりとりし、食品を選択及び購入し、その食品をＧＰＳ座標に配達してもらうことができる実施形態である。例えば、ニューヨーク市のセントラルパーク内にいる人が、ピザを自分のピクニックの場所に配達してもらうことができる。代替の実施形態において、そのような顧客は、現地のトランスポーターとやりとりし、食品を購入してピクニックの場所に直ちに配達してもらうことができる。
【００９６】
本発明の別の実施形態において、本出願のシステムを利用して、固定ディスプレイからオーディオ又はビデオを取り込むことができる。図９は、固定広告板９０１上に表示された内容を本出願のシステム４０１にいかに取り込むことができるかを示す。
【００９７】
幾つかの実施形態において、本出願のシステムは、３次元画像を表示するように構成される。
【００９８】
本出願のシステム及び方法は、インターネット上で既に所定の位置にある現存のシステムと統合することができる。例えば、１つの実施形態において、本出願のシステムは、乗客が運ばれている時点を認識するために、タクシーサービスと統合することができる。乗車の合間に、対象システムは、賃走（trip）間の合間を示す、しばらくの間の低速走行又は無走行を認識することができる。本出願のシステムがこれを認識できる１つの方法は、停止と、その後の新たな方向へのより速い速度とによって、新たな賃借が示されることであろう。このシステムは、賃借の数及び賃借の長さを検証するために、写真を撮影することもできるか、又は運転者の就業日の最後に賃借及び乗客の数を入力するようにタクシー運転手に要求することができる。このデータは、会計監査及び品質管理の両方のために使用することができる。
【図１】
2018500622.tif 000003
【図２】
2018500622.tif 000004
【図３】
2018500622.tif 000005
【図４】
2018500622.tif 000006
【図５】
2018500622.tif 000007
【図６】
2018500622.tif 000008
【図７】
2018500622.tif 000009
【図８】
2018500622.tif 000010
【図９】
2018500622.tif 000011
【国際調査報告】
2018500622.tif 000012
2018500622.tif 000013